(57)【要約】【課題】表示色の変化を高精度に低減することができる技術を提供する。【解決手段】本発明の画像処理装置は、第１色の光を発する光源部と、光源部から発せられた第１色の光の一部を第２色の光に変換して出射し、且つ、光源部から発せられた第１色の光の一部を変換せずに出射する変換部材と、変換部材から出射された光を表示画像データに基づいて透過することにより、画像を表示する表示部と、光源部から発せられた第１色の光の輝度を検出し、検出した輝度に応じた第１検出値を出力する第１検出部と、変換部材によって得られた第２色の光の輝度を検出し、検出した輝度に応じた第２検出値を出力する第２検出部と、を有する表示装置の表示画像データを生成する画像処理装置であって、第１検出値と第２検出値に基づいて入力画像データを補正することにより、表示画像データを生成する補正手段、を有する。【選択図】図１
2018159735.tif 000002
【特許請求の範囲】
【請求項１】
第１色の光を発する光源部と、
前記光源部から発せられた前記第１色の光の一部を第２色の光に変換して出射し、且つ、前記光源部から発せられた前記第１色の光の一部を変換せずに出射する変換部材と、
前記変換部材から出射された、前記第１色の光と前記第２色の光とを含む出射光を、入力画像データから生成された表示画像データに基づいて透過することにより、画像を表示する表示部と、
前記光源部から発せられた前記第１色の光の輝度を検出し、検出した輝度に応じた第１検出値を出力する第１検出部と、
前記変換部材によって得られた前記第２色の光の輝度を検出し、検出した輝度に応じた第２検出値を出力する第２検出部と、
を有する表示装置の前記表示画像データを生成する画像処理装置であって、
前記変換部材の特性の変化に起因した前記画像の色の変化が低減されるように、前記第１検出値と前記第２検出値に基づいて前記入力画像データを補正することにより、前記表示画像データを生成する補正手段、
を有することを特徴とする画像処理装置。
【請求項２】
前記補正手段は、前記光源部の発光輝度の変化に起因した前記画像の色の変化がさらに低減されるように、前記第１検出値と前記第２検出値に基づいて前記入力画像データを補正する
ことを特徴とする請求項１に記載の画像処理装置。
【請求項３】
前記第１検出値と、前記第２検出値と、前記入力画像データを補正する補正パラメータとの対応関係に関連した対応情報を記憶する記憶手段と、
前記第１検出部から出力された前記第１検出値、前記第２検出部から出力された前記第２検出値、及び、前記対応情報に基づいて、補正パラメータを決定する決定手段と、
を有し、
前記補正手段は、前記決定手段によって決定された前記補正パラメータを用いて前記入力画像データを補正することにより、前記表示画像データを生成する
ことを特徴とする請求項１または請求項２に記載の画像処理装置。
【請求項４】
前記対応情報は、
前記光源部の発光輝度の変化に対する前記出射光の変化に関連した第１情報と、
前記変換部材の特性の変化に対する前記出射光の変化に関連した第２情報と、
を含む
ことを特徴とする請求項３に記載の画像処理装置。
【請求項５】
前記第１色は青色であり、
前記第２色は緑色であり、
前記第１情報は、前記変換部材の特性が所定の特性である場合における、前記第１検出値と、前記第２検出値と、前記出射光のＸＹＺ三刺激値との対応関係を示し、
前記第２情報は、前記所定の特性からの前記変換部材の特性の変化に対応する前記出射光のＸ値の変化率と、前記所定の特性からの前記変換部材の特性の変化に対応する前記出射光のＹ値の変化率との対応関係を示し、
前記決定手段は、
前記第１検出部から出力された前記第１検出値に対応する第２検出値とＸＹＺ三刺激値を、前記第１情報から取得し、
前記第２検出部から出力された前記第２検出値、前記第１情報から取得した前記第２検出値、及び、前記第１情報から取得した前記ＸＹＺ三刺激値のＹ値に基づいて、前記変
換部材の特性の変化が考慮された出射光のＹ値を判断し、
前記第１情報から取得した前記ＸＹＺ三刺激値のＹ値、前記第１情報から取得した前記ＸＹＺ三刺激値のＸ値、判断した前記Ｙ値、及び、前記第２情報に基づいて、前記変換部材の特性の変化が考慮された前記出射光のＸ値を判断し、
判断した前記Ｘ値と所定のＸ値との比率、判断した前記Ｙ値と所定のＹ値との比率、及び、前記第１情報から取得した前記ＸＹＺ三刺激値のＺ値と所定のＺ値との比率を含むパラメータを、前記補正パラメータとして決定する
ことを特徴とする請求項４に記載の画像処理装置。
【請求項６】
前記所定のＸ値、前記所定のＹ値、及び、前記所定のＺ値は、前記変換部材の特性が前記所定の特性であり、且つ、前記光源部の発光輝度が所定の輝度である場合における出射光のＸＹＺ三刺激値を構成する
ことを特徴とする請求項５に記載の画像処理装置。
【請求項７】
前記補正手段は、
前記入力画像データの各画素値をＸＹＺ三刺激に変換し、
得られた各ＸＹＺ三刺激値を前記補正パラメータを用いて補正し、
補正後の各ＸＹＺ三刺激値を前記表示画像データの画素値に変換する
ことを特徴とする請求項５または請求項６に記載の画像処理装置。
【請求項８】
前記変換部材は、前記第１色の光を前記第２色の光に変換する量子ドットを有する
ことを特徴とする請求項１乃至請求項７のいずれか１項に記載の画像処理装置。
【請求項９】
前記変換部材は、前記第１色の光を前記第２色の光に変換する蛍光体を有する
ことを特徴とする請求項１乃至請求項８のいずれか１項に記載の画像処理装置。
【請求項１０】
前記第１色の光の主波長は、前記第２色の光の主波長よりも短い
ことを特徴とする請求項１乃至請求項９のいずれか１項に記載の画像処理装置。
【請求項１１】
前記第１色は青色であり、
前記第２色は緑色または赤色である
ことを特徴とする請求項１乃至請求項１０のいずれか１項に記載の画像処理装置。
【請求項１２】
前記第１検出部は、前記第１色の光の主波長、または、その近傍の波長を有する光の強度を最も高い検出感度で検出し、
前記第２検出部は、前記第２色の光の主波長、または、その近傍の波長を有する光の強度を最も高い検出感度で検出する
ことを特徴とする請求項１乃至請求項１１のいずれか１項に記載の画像処理装置。
【請求項１３】
４４０ｎｍ以上かつ４８０ｎｍ未満の波長範囲内に、前記第１検出部によって最も高い検出感度で強度が検出される光の波長があり、
４８０ｎｍ以上かつ５８０ｎｍ未満の波長範囲内または５８０ｎｍ以上かつ７００ｎｍ以下の波長範囲内に、前記第２検出部によって最も高い検出感度で強度が検出される光の波長がある
ことを特徴とする請求項１乃至請求項１２のいずれか１項に記載の画像処理装置。
【請求項１４】
前記第１色の光の強度分布の半値幅に対応する波長範囲内に、前記第１検出部によって最も高い検出感度で強度が検出される光の波長があり、
前記第２色の光の強度分布の半値幅に対応する波長範囲内に、前記第２検出部によって最も高い検出感度で強度が検出される光の波長がある
ことを特徴とする請求項１乃至請求項１３のいずれか１項に記載の画像処理装置。
【請求項１５】
前記変換部材は、前記光源部から発せられた前記第１色の光の一部を第３色の光に変換して出射し、
前記出射光は、前記第１色の光、前記第２色の光、及び、前記第３色の光を含む
ことを特徴とする請求項１乃至請求項１４のいずれか１項に記載の画像処理装置。
【請求項１６】
前記第１色は青色であり、
前記第２色は緑色と赤色の一方であり、
前記第３色は緑色と赤色の他方である
ことを特徴とする請求項１５に記載の画像処理装置。
【請求項１７】
前記表示装置は、
発光輝度が個別に制御される複数の光源部と
前記複数の光源部にそれぞれ対応する複数の第１検出部と、
前記複数の光源部にそれぞれ対応する複数の第２検出部と、
を有し、
前記補正手段は、前記複数の第１検出部からそれぞれ出力された複数の第１検出値と、前記複数の第２検出部からそれぞれ出力された複数の第２検出値とに基づく、画面における複数の領域にそれぞれ対応する複数の補正パラメータを用いて、前記入力画像データを補正する
ことを特徴とする請求項１乃至請求項１６のいずれか１項に記載の画像処理装置。
【請求項１８】
前記表示装置は、共通の発光輝度で発光する複数の光源部を有し、
前記補正手段は、画面内で共通の補正パラメータを用いて前記入力画像データを補正する
ことを特徴とする請求項１乃至請求項１６のいずれか１項に記載の画像処理装置。
【請求項１９】
第１色の光を発する光源部と、
前記光源部から発せられた前記第１色の光の一部を第２色の光に変換して出射し、且つ、前記光源部から発せられた前記第１色の光の一部を変換せずに出射する変換部材と、
前記変換部材から出射された、前記第１色の光と前記第２色の光とを含む出射光を、入力画像データから生成された表示画像データに基づいて透過することにより、画像を表示する表示部と、
前記光源部から発せられた前記第１色の光の輝度を検出し、検出した輝度に応じた第１検出値を出力する第１検出部と、
前記変換部材によって得られた前記第２色の光の輝度を検出し、検出した輝度に応じた第２検出値を出力する第２検出部と、
請求項１乃至請求項１８のいずれか１項に記載の画像処理装置と、
を有することを特徴とする表示装置。
【請求項２０】
第１色の光を発する光源部と、
前記光源部から発せられた前記第１色の光の一部を第２色の光に変換して出射し、且つ、前記光源部から発せられた前記第１色の光の一部を変換せずに出射する変換部材と、
前記変換部材から出射された、前記第１色の光と前記第２色の光とを含む出射光を、入力画像データから生成された表示画像データに基づいて透過することにより、画像を表示する表示部と、
前記光源部から発せられた前記第１色の光の輝度を検出し、検出した輝度に応じた第１検出値を出力する第１検出部と、
前記変換部材によって得られた前記第２色の光の輝度を検出し、検出した輝度に応じた
第２検出値を出力する第２検出部と、
を有する表示装置の前記表示画像データを生成する画像処理方法であって、
前記入力画像データを取得するステップと、
前記変換部材の特性の変化に起因した前記画像の色の変化が低減されるように、前記第１検出値と前記第２検出値に基づいて前記入力画像データを補正することにより、前記表示画像データを生成するステップと、
を有することを特徴とする画像処理方法。
【請求項２１】
請求項２０に記載の画像処理方法の各ステップをコンピュータに実行させるためのプログラム。
【発明の詳細な説明】
【技術分野】
【０００１】
本発明は、画像処理装置、表示装置、及び、画像処理方法に関する。
【背景技術】
【０００２】
液晶表示装置のバックライトユニットなどとして、青色光源と、赤色蛍光体および緑色蛍光体を有する波長変換部材と、を有する発光部が提案されている。赤色蛍光体は、青色光によって励起が引き起こされることにより赤色光を発する蛍光体である。緑色蛍光体は、青色光によって励起が引き起こされることにより緑色光を発する蛍光体である。上記発光部では、青色光源から発せられた青色光の一部が赤色蛍光体によって赤色光に変換され、当該赤色光が波長変換部材から出射される。また、青色光源から発せられた青色光の一部が緑色蛍光体によって緑色光に変換され、当該緑色光が波長変換部材から出射される。そして、青色光源から発せられた青色光の一部が、変換されずに、波長変換部材から出射される（透過）。その結果、青色光、赤色光、及び、緑色光を含む広色域の光が発光部から発せられる。
【０００３】
近年では、励起が引き起こされることにより純度の高い光を生成することができる波長変換素子として、量子ドットが提案されている。量子ドットは、紫外光、青色光、等に反応して、量子ドットの粒径に応じた光を発する。量子ドットを使用すれば、半値幅が４０ｎｍ程度の光（赤色光、緑色光、等）を青色光から得ることができるため、発光部から発せられる光として、より広色域の光を得ることができる。
【０００４】
表示装置に関する技術は、例えば、特許文献１に記載されている。特許文献１に記載の技術では、表示装置に対する外光を検出するセンサの検出値に基づいて、表示が制御される。
【先行技術文献】
【特許文献】
【０００５】
【特許文献１】特開２０１１―１０６８７５号公報
【発明の概要】
【発明が解決しようとする課題】
【０００６】
しかしながら、熱、湿度、等によって、量子ドットの特性の経年変化が生じる。そして、量子ドットを有する波長変換部材から発せられる光は、波長変換部材（具体的には量子ドット）の特性の変化によって変化する。また、波長変換部材から発せられる光は、励起光（量子ドットの励起をもたらす光）を発する光源の発光輝度の変化によっても変化する。波長変換部材から発せられる光の上記変化により、表示色（画面の色）が変化する。
【０００７】
そして、特許文献１に記載の技術では外光しか考慮されない。そのため、特許文献１に記載の技術を用いたとしても、表示色の上記変化を低減することはできない。
【０００８】
本発明は、波長変換部材の特性の変化に起因した表示色の変化などを高精度に低減することができる技術を提供することを目的とする。
【課題を解決するための手段】
【０００９】
本発明の第１の態様は、
第１色の光を発する光源部と、
前記光源部から発せられた前記第１色の光の一部を第２色の光に変換して出射し、且つ
、前記光源部から発せられた前記第１色の光の一部を変換せずに出射する変換部材と、
前記変換部材から出射された、前記第１色の光と前記第２色の光とを含む出射光を、入力画像データから生成された表示画像データに基づいて透過することにより、画像を表示する表示部と、
前記光源部から発せられた前記第１色の光の輝度を検出し、検出した輝度に応じた第１検出値を出力する第１検出部と、
前記変換部材によって得られた前記第２色の光の輝度を検出し、検出した輝度に応じた第２検出値を出力する第２検出部と、
を有する表示装置の前記表示画像データを生成する画像処理装置であって、
前記変換部材の特性の変化に起因した前記画像の色の変化が低減されるように、前記第１検出値と前記第２検出値に基づいて前記入力画像データを補正することにより、前記表示画像データを生成する補正手段、
を有することを特徴とする画像処理装置である。
【００１０】
本発明の第２の態様は、
第１色の光を発する光源部と、
前記光源部から発せられた前記第１色の光の一部を第２色の光に変換して出射し、且つ、前記光源部から発せられた前記第１色の光の一部を変換せずに出射する変換部材と、
前記変換部材から出射された、前記第１色の光と前記第２色の光とを含む出射光を、入力画像データから生成された表示画像データに基づいて透過することにより、画像を表示する表示部と、
前記光源部から発せられた前記第１色の光の輝度を検出し、検出した輝度に応じた第１検出値を出力する第１検出部と、
前記変換部材によって得られた前記第２色の光の輝度を検出し、検出した輝度に応じた第２検出値を出力する第２検出部と、
上述した画像処理装置と、
を有することを特徴とする表示装置である。
【００１１】
本発明の第３の態様は、
第１色の光を発する光源部と、
前記光源部から発せられた前記第１色の光の一部を第２色の光に変換して出射し、且つ、前記光源部から発せられた前記第１色の光の一部を変換せずに出射する変換部材と、
前記変換部材から出射された、前記第１色の光と前記第２色の光とを含む出射光を、入力画像データから生成された表示画像データに基づいて透過することにより、画像を表示する表示部と、
前記光源部から発せられた前記第１色の光の輝度を検出し、検出した輝度に応じた第１検出値を出力する第１検出部と、
前記変換部材によって得られた前記第２色の光の輝度を検出し、検出した輝度に応じた第２検出値を出力する第２検出部と、
を有する表示装置の前記表示画像データを生成する画像処理方法であって、
前記入力画像データを取得するステップと、
前記変換部材の特性の変化に起因した前記画像の色の変化が低減されるように、前記第１検出値と前記第２検出値に基づいて前記入力画像データを補正することにより、前記表示画像データを生成するステップと、
を有することを特徴とする画像処理方法である。
【００１２】
本発明の第４の態様は、上述した画像処理方法の各ステップをコンピュータに実行させるためのプログラムである。
【発明の効果】
【００１３】
本発明によれば、波長変換部材の特性の変化に起因した表示色の変化などを高精度に低減することができる。
【図面の簡単な説明】
【００１４】
【図１】実施例１に係る表示装置の構成例
【図２】実施例１に係る光源部から発せられる光のスペクトルの一例
【図３】実施例１に係る波長変換シートから発せられる光のスペクトルの一例
【図４】実施例１に係る波長変換シートから発せられる光の一例
【図５】実施例１に係る第１輝度センサと第２輝度センサの検出感度の一例
【図６】実施例１に係る表示制御部の構成例
【図７】実施例１に係るパネル駆動部の構成例
【図８】実施例１に係る色変化推定部の構成例
【図９】実施例１に係る色変化推定部の処理フローの一例
【図１０】実施例１に係る第１情報の一例
【図１１】実施例１に係る所定のＸＹＺ三刺激値の一例
【図１２】実施例１に係る第２情報の一例
【図１３】実施例２に係る発光部の構成例
【発明を実施するための形態】
【００１５】
＜実施例１＞
以下、本発明の実施例１について説明する。以下では、本実施例に係る画像処理装置を有する表示装置の例を説明する。なお、画像処理装置は表示装置とは別体の装置であってもよい。表示装置とは別体の画像処理装置は、例えば、パーソナルコンピュータ（ＰＣ）、再生装置（例えば、ブルーレイプレーヤ）、サーバ装置、等である。
【００１６】
図１は、本実施例に係る表示装置１の構成例を示す図である。図１は、表示装置１の画面に垂直な面によって得られる断面（表示装置１の断面）を示す。表示装置１は、表示パネル１０、発光部２０、及び、表示制御部１００を有する。
【００１７】
表示パネル（表示部）１０は、発光部２０から発せられた光を透過することにより、画像を表示する。例えば、表示パネル１０として、液晶パネル、ＭＥＭＳ（Ｍｉｃｒｏ  Ｅｌｅｃｔｒｏ  Ｍｅｃｈａｎｉｃａｌ  Ｓｙｓｔｅｍ）シャッタ方式表示パネル、等を用いることができる。
【００１８】
発光部２０は、表示パネル１０の背面に光を照射する。発光部２０は、光源部２１、光学シート２２、第１輝度センサ２３、第２輝度センサ２４、及び、筐体２５を有する。光源部２１、光学シート２２、第１輝度センサ２３、及び、第２輝度センサ２４は、筐体２５に固定される。表示装置１が液晶表示装置である場合には、発光部２０は「バックライトユニット」などと呼ばれることもある。
【００１９】
光源部２１は、第１色の光を発する。本実施例では、光源部２１は、青色光（青色の光）を発する。具体的には、図２に示すように、光源部２１は、主波長が４４５ｎｍであるスペクトル（強度分布；分光特性）を有する青色光を発する。光源部２１は、１つ以上の発光素子を有する。例えば、発光素子として、発光ダイオード（ＬＥＤ）、有機ＥＬ（Ｅｌｅｃｔｒｏ  Ｌｕｍｉｎｅｓｃｅｎｃｅ）素子、レーザ光源、冷陰極管、等を用いることができる。本実施例では、筐体２５の底面に光源部２１が配置される。そして、筐体２５の底面には、光を反射する反射シートが配置されている。
【００２０】
なお、光源部２１から発せられる光のスペクトルは、図２のスペクトルに限られない。例えば、光源部２１から発せられる光の主波長は、４４５ｎｍより長くても短くてもよい
。光源部２１から発せられる光は、紫外光、緑色光（緑色の光）、等であってもよい。光源部２１から発せられる光のスペクトルは、例えば、後述する波長変換シート２２１の特性に応じて予め決定される。
【００２１】
光学シート２２は、波長変換シート２２１と光拡散シート２２２を有する。
【００２２】
波長変換シート（変換部材）２２１は、光源部２１から発せられた青色光の一部を第２色の光に変換して出射する。波長変換シート２２１は、光源部２１から発せられた青色光の一部を第３色の光に変換して出射する。そして、波長変換シート２２１は、光源部２１から発せられた青色光の一部を変換せずに出射する。
【００２３】
第２色の光の主波長は青色光の主波長よりも長く、第３色の光の主波長は青色光の主波長よりも長い。換言すれば、青色光の主波長は、第２色の光の主波長よりも短く、第３色の光の主波長よりも短い。例えば、第２色の光と第３色の光との一方は緑色光であり、第２色の光と第３色の光との他方は赤色光（赤色の光）である。本実施例では、第２色の光は緑色光であり、第３色の光は赤色光である。具体的には、図３に示すように、波長変換シート２２１は、光源部２１から発せられた青色光の一部を、主波長が５３０ｎｍであるスペクトルを有する緑色光に変換して出射する。また、図３に示すように、波長変換シート２２１は、光源部２１から発せられた青色光の一部を、主波長が６３０ｎｍであるスペクトルを有する赤色光に変換して出射する。そのため、図３，４に示すように、波長変換シート２２１からは、青色光、緑色光、及び、赤色光を含む出射光が出射される。
【００２４】
本実施例では、波長変換シート２２１は、緑色光と赤色光のそれぞれを等方的に出射する。即ち、波長変換シート２２１からは、表示パネル１０に向かう方向、光源部２１に向かう方向、等を含む全方向に、緑色光が発せられる。同様に、波長変換シート２２１からは、上記全方向に赤色光が発せられる。また、光源部２１から発せられた青色光の一部は、波長変換シート２２１の界面で光源部２１の側に反射する。
【００２５】
波長変換シート２２１の構成例を説明する。例えば、波長変換シート２２１には、青色光を緑色光に変換する緑色変換素子と、青色光を赤色光に変換する赤色変換素子とが封入されている。緑色変換素子と赤色変換素子は特に限定されないが、例えば、緑色変換素子は、青色光によって励起が引き起こされることにより緑色光を発し、赤色変換素子は、青色光によって励起が引き起こされることにより赤色光を発する。励起をもたらす光は「励起光」などと呼ばれることもある。本実施例では、光源部２１から発せられた青色光は、波長変換シート２２１（緑色変換素子と赤色変換素子）の励起光として使われる。
【００２６】
波長変換シート２２１において、緑色変換素子の数、赤色変換素子の数、等は予め調整される。例えば、所定の発光輝度（発光量）で光源部２１が青色光を発した場合において、所定の色温度を有する白色光が波長変換シート２２１の前面から発せられるように、緑色変換素子の数、赤色変換素子の数、等が予め調整される。所定の発光輝度で光源部２１が青色光を発した場合において、所定のスペクトルを有する光が波長変換シート２２１の前面から発せられるように、緑色変換素子の数、赤色変換素子の数、等が予め調整されてもよい。所定のスペクトルは、例えば、表示装置１が所定の色域で画像を表示するために必要とされるスペクトルである。
【００２７】
例えば、緑色変換素子として、量子ドット、蛍光体、等を用いることができる。同様に、赤色変換素子として、量子ドット、蛍光体、等を用いることができる。緑色変換素子と赤色変換素子のそれぞれが量子ドットである場合には、波長変換シート２２１は「量子ドットシート」などと呼ぶこともできる。緑色変換素子と赤色変換素子のそれぞれが蛍光体である場合には、波長変換シート２２１は「蛍光体シート」などと呼ぶこともできる。
【００２８】
なお、第２色は緑色に限られないし、第３色は赤色に限られない。例えば、第２色として赤色が使用され、第３色として緑色が使用されてもよい。波長変換シート２２１において、第１色から第３色への変換は行われなくてもよい。
【００２９】
光拡散シート２２２は、波長変換シート２２１の上記出射光の輝度分布が滑らかになるように、出射光を拡散したり、出射光を偏光させたりする。例えば、光拡散シート２２２は、拡散シート、集光シート、及び、偏光シートを積層した構成を有する。光拡散シート２２２は、上記３種類のシートの少なくともいずれかを有していなくてもよいし、拡散板などを有していてもよい。光拡散シート２２２の構成として、所望の光分布を得ることのできる任意の構成を採用することができる。
【００３０】
なお、波長変換シート２２１は、光拡散シート２２２を構成する複数のシートの間に設けられていてもよい。光拡散シート２２２よりに対して表示パネル１０の側に波長変換シート２２１が設けられてもよい。また、表示装置１は光拡散シート２２２を有していなくてもよい。
【００３１】
本実施例では、光源部２１から発せられた青色光の一部が波長変換シート２２１によって緑色光に変換され、当該緑色光の一部が表示パネル１０に向かう。光源部２１から発せられた青色光の一部は波長変換シート２２１によって赤色光に変換され、当該赤色光の一部が表示パネル１０に向かう。光源部２１から発せられた青色光の一部は、緑色光にも赤色光にも変換されずに、波長変換シート２２１を透過し、表示パネル１０に向かう。そして、青色光の一部、緑色光の一部、及び、赤色光の一部は、波長変換シート２２１の界面、光拡散シート２２２の界面、筐体２５に設けられた反射シート、等での反射と拡散を繰り返し、表示パネル１０に向かう。
【００３２】
ここで、波長変換シート２２１の上記出射光は、光源部２１の発光輝度の変化によって変化する。例えば、光源部２１の発光輝度が変化すると、光源部２１から発せられた青色光が緑色変換素子と赤色変換素子に衝突する回数（衝突回数）が変化する。画面と平行な面において、光源部２１から遠いほど、光源部２１から発せられた青色光が波長変換シート２２１を透過する距離が増す。光源部２１の発光輝度が変化すると、画面と平行な面において、光源部２１から発せられた青色光が到達する位置（到達位置）までの最大距離が変化する。そして、衝突回数の変化、到達位置までの最大距離の変化、等により、出射光において、緑色光と赤色光に対する青色光の割合が変化する。また、波長変換シート２２１の特性の変化によっても、出射光は変化する。例えば、熱、湿度、等によって、波長変換シート２２１の特性の経年変化が生じる。出射光が変化すると、発光部２０から表示パネル１０へ発せられる光が変化し、表示装置１によって表示された画像の色（表示色）などが変化する。
【００３３】
第１輝度センサ２３と第２輝度センサ２４のそれぞれは、光の輝度を検出し、検出した輝度に応じた検出値を出力する検出部である。第１輝度センサ２３と第２輝度センサ２４では、検出対象の光の色が互いに異なる。本実施例では、第１輝度センサ２３は、光源部２１から発せられた青色光の輝度を検出し、検出した輝度に応じた第１検出値を出力する。第２輝度センサ２４は、波長変換シート２２１によって得られた緑色光の輝度を検出し、検出した輝度に応じた第２検出値を出力する。
【００３４】
本実施例では、図５に示すように、第１輝度センサ２３は、光源部２１から発せられた青色光の主波長（４４５ｎｍ）を有する光の強度を最も高い検出感度で検出する。なお、第１輝度センサ２３の検出感度は特に限定されない。例えば、第１輝度センサ２３は、上記主波長（４４５ｎｍ）の近傍の波長を有する光の強度を最も高い検出感度で検出しても
よい。第１輝度センサ２３は、上記青色光のスペクトルの半値幅に対応する波長範囲内の他の波長を有する光の強度を最も高い検出感度で検出してもよい。第１輝度センサ２３は、４４０ｎｍ以上かつ４８０ｎｍ未満の波長範囲内の他の波長を有する光の強度を最も高い検出感度で検出してもよい。
【００３５】
また、本実施例では、図５に示すように、第２輝度センサ２４は、波長変換シート２２１によって得られた緑色光の主波長（５３０ｎｍ）を有する光の強度を最も高い検出感度で検出する。なお、第２輝度センサ２４の検出感度は特に限定されない。例えば、第２輝度センサ２４は、上記主波長（５３０ｎｍ）の近傍の波長を有する光の強度を最も高い検出感度で検出してもよい。第２輝度センサ２４は、上記緑色光のスペクトルの半値幅に対応する波長範囲内の他の波長を有する光の強度を最も高い検出感度で検出してもよい。第２輝度センサ２４は、４８０ｎｍ以上かつ５８０ｎｍ未満の波長範囲内の他の波長を有する光の強度を最も高い検出感度で検出してもよい。
【００３６】
第２色が赤色である場合には、例えば、波長変換シート２２１によって得られた赤色光の主波長（６３０ｎｍ）を有する光の強度を最も高い検出感度で検出する。第２輝度センサ２４は、上記主波長（６３０ｎｍ）の近傍の波長を有する光の強度を最も高い検出感度で検出してもよい。第２輝度センサ２４は、上記赤色光のスペクトルの半値幅に対応する波長範囲内の他の波長を有する光の強度を最も高い検出感度で検出してもよい。第２輝度センサ２４は、５８０ｎｍ以上かつ７００ｎｍ以下の波長範囲内の他の波長を有する光の強度を最も高い検出感度で検出してもよい。
【００３７】
詳細は後述するが、本実施例では、上述した表示色の変化を低減する色補正処理が行われる。本実施例では、光源部２１から発せられた光の検出と、波長変換シート２２１によって得られた光の検出とが個別に行われるため、それらの検出の結果を用いることにより、高精度な色補正処理を実現することができる。例えば、光源部２１の発光輝度の変化に起因した出射光（波長変換シート２２１の出射光）の変化を高精度に検出することができ、光源部２１の発光輝度の変化に起因した表示色の変化を高精度に低減することができる。
【００３８】
図６は、表示制御部（表示制御基板）１００の構成例を示すブロック図である。表示制御部１００は、輝度決定部１０１、発光駆動部１０２、パネル駆動部１０３、検出値取得部１０４、色変化推定部１０５、メモリ１０６、及び、ＣＰＵ１０７を有する。メモリ１０６は、表示制御部１００で使用される情報（プログラム、パラメータ、等）を記憶する。ＣＰＵ（Ｃｅｎｔｒａｌ  Ｐｒｏｃｅｓｓｉｎｇ  Ｕｎｉｔ）１０７は、表示制御部１００の少なくとも一部の機能部の処理を制御する。例えば、ＣＰＵ１０７は、メモリ１０６に記録されたプログラムをメモリ１０６から読み出して実行することにより、少なくとも一部の機能部の処理を制御する。少なくとも一部の機能部の処理が、ＣＰＵ１０７によって実現されてもよい。
【００３９】
表示装置１（表示制御部１００）は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）などのインタフェースを用いて、外部から画像データを取得する。以後、外部から取得された画像データを「入力画像データ」と記載する。
【００４０】
輝度決定部１０１は、入力画像データに基づいて光源部２１の発光輝度を決定し、決定した発光輝度に応じた輝度信号を発光駆動部１０２へ送信する。なお、発光輝度の決定方法は特に限定されない。例えば、輝度決定部１０１は、入力画像データの輝度が低いほど低い発光輝度を決定する。輝度決定部１０１は、所定の発光輝度に応じた輝度信号を発光駆動部１０２へ送信してもよい。輝度決定部１０１は、第１検出値などを考慮して発光輝
度を決定してもよい。例えば、輝度決定部１０１は、第１検出値として目標値が得られるように発光輝度を決定してもよい。目標値は、入力画像データに基づく発光輝度に対応する第１検出値、所定の発光輝度に対応する第１検出値、等である。
【００４１】
発光駆動部１０２は、輝度決定部１０１から受信した輝度信号に応じた発光駆動信号を、光源部２１へ送信する。それにより、光源部２１は、発光駆動部１０２から受信した発光駆動信号に応じた発光輝度で発光する。
【００４２】
検出値取得部１０４は、第１輝度センサ２３から出力された第１検出値と、第２輝度センサ２４から出力された第２検出値とを取得する。そして、検出値取得部１０４は、取得した検出値（第１検出値と第２検出値）を、色変化推定部１０５へ出力する。なお、検出値取得部１０４が検出値としてアナログ値を取得した場合には、検出値取得部１０４は、取得したアナログ値をデジタル値に変換するＡ／Ｄ変換処理を行い、デジタル値を出力する。
【００４３】
パネル駆動部１０３は、入力画像データから表示画像データを生成し、表示画像データを表示パネル１０へ出力する。それにより、表示パネル１０の透過率が、表示画像データに基づく透過率に制御される。具体的には、表示パネル１０は複数の表示素子を有しており、各表示素子の透過率が、表示画像データに基づく透過率に制御される。その結果、発光部２０から発せられた光が、表示画像データに基づく透過率で表示パネル１０を透過することにより、表示画像データに基づく画像が画面に表示される。本実施例では、パネル駆動部１０３は、色変化推定部１０５から出力された補正パラメータを用いて入力画像データを補正することにより、表示画像データを生成する。
【００４４】
図７は、パネル駆動部１０３の構成例を示すブロック図である。パネル駆動部１０３は、ＲＧＢ−ＸＹＺ変換部１４１、色補正部１４２、及び、ＸＹＺ−ＲＧＢ変換部１４３を有する。
【００４５】
ＲＧＢ−ＸＹＺ変換部１４１は、入力画像データの各画素値をＸＹＺ三刺激値（Ｘ値，Ｙ値，Ｚ値）＝（Ｘｓ，Ｙｓ，Ｚｓ）に変換する。本実施例では、入力画像データの画素値はＲＧＢ値（Ｒ値，Ｇ値，Ｂ値）＝（Ｒｓ，Ｇｓ，Ｂｓ）である。ＲＧＢ−ＸＹＺ変換部１４１は、以下の式１を用いて、ＲＧＢ値（Ｒｓ，Ｇｓ，Ｂｓ）をＸＹＺ三刺激値（Ｘｓ，Ｙｓ，Ｚｓ）に変換する。式１の行列Ｍは、例えば、設定されたホワイトポイントに応じて決定される。
【数１】
2018159735.tif 000003
【００４６】
色補正部１４２は、ＲＧＢ−ＸＹＺ変換部１４１によって得られた各ＸＹＺ三刺激値（Ｘｓ，Ｙｓ，Ｚｓ）を、色変化推定部１０５から出力された補正パラメータを用いて補正する（色補正処理）。本実施例では、色補正部１４２は、以下の式２を用いて、ＸＹＺ三刺激値（Ｘｓ，Ｙｓ，Ｚｓ）をＸＹＺ三刺激値（Ｘｃ，Ｙｃ，Ｚｃ）に補正する。式２において、「α」は、Ｘ値Ｘｓを補正する補正パラメータであり、「β」は、Ｙ値Ｙｓを補
正する補正パラメータであり、「γ」は、Ｚ値Ｚｓを補正する補正パラメータである。補正パラメータα，β，γは、上述した表示色の変化を低減する補正パラメータである。補正パラメータα，β，γのそれぞれの初期値は１であり、色補正部１４２は、色変化推定部１０５から新たな補正パラメータを取得すると、取得した補正パラメータに、色補正処理で使用する補正パラメータを更新する。
【数２】
2018159735.tif 000004
【００４７】
ＸＹＺ−ＲＧＢ変換部１４３は、色補正部１４２による補正後の各ＸＹＺ三刺激値（Ｘｃ，Ｙｃ，Ｚｃ）を表示画像データの画素値に変換する。本実施例では、表示画像データの画素値もＲＧＢ値（Ｒｃ，Ｇｃ，Ｂｃ）である。ＸＹＺ−ＲＧＢ変換部１４３は、以下の式３を用いて、ＸＹＺ三刺激値（Ｘｃ，Ｙｃ，Ｚｃ）をＲＧＢ値（Ｒｃ，Ｇｃ，Ｂｃ）に変換する。
【数３】
2018159735.tif 000005
【００４８】
なお、表示画像データの生成方法は上記方法に限られない。例えば、ＸＹＺ三刺激値への変換、ＸＹＺ三刺激値からの変換、等が行われなくてもよい。ＸＹＺ三刺激値を補正する補正パラメータとは異なる補正パラメータが色補正処理で使用されてもよい。例えば、ＲＧＢ値を補正する補正パラメータが使用されてもよい。また、入力画像データの画素値、表示画像データの画素値、等は、ＲＧＢ値に限られない。例えば、画素値として、ＹＣｂＣｒ値が使用されてもよい。
【００４９】
色変化推定部１０５は、検出値取得部１０４から出力された検出値（第１検出値と第２検出値）に基づいて補正パラメータα，β，γを決定し、補正パラメータα，β，γをパネル駆動部１０３へ出力する。本実施例では、第１検出値、第２検出値、及び、補正パラメータα，β，γの対応関係に関連した対応情報が予め用意される。そして、検出値取得部１０４から出力された検出値と、対応情報とに基づいて、補正パラメータα，β，γが決定される。なお、補正パラメータα，β，γを決定する処理のタイミング、当該処理の頻度、等は特に限定されない。例えば、補正パラメータα，β，γを決定する処理が所定時間おきに行われてもよい。表示装置１の駆動時間などに基づいて、処理のタイミング、処理の頻度、等が変更されてもよい。処理のタイミング、処理の頻度、等が、ユーザによって指定されてもよい。
【００５０】
図８は、色変化推定部１０５の構成例を示すブロック図である。色変化推定部１０５は、γ決定部１８１、第１情報記憶部１８２、α・β決定部１８３、第２情報記憶部１８４、及び、補正パラメータ出力部１８５を有する。
【００５１】
図９は、色変化推定部１０５の処理フローの一例を示すフローチャートである。色変化
推定部１０５の各機能部の処理について、図９を用いて説明する。
【００５２】
まず、Ｓ１１０にて、γ決定部１８１は、補正パラメータγを決定する。第１情報記憶部１８２は、上記対応情報の一部である第１情報を記憶する。第１情報は、光源部２１の発光輝度の変化に対する出射光（波長変換シート２２１から発せられる光；発光部２０から発せられる光）の変化に関連した情報である。本実施例では、図１０に示すように、第１情報は、波長変換シート２２１の特性が所定の特性である場合における、第１検出値Ｒｂｆ、第２検出値Ｒｇｆ、及び、出射光のＸＹＺ三刺激値（Ｘｆ，Ｙｆ，Ｚｆ）の対応関係を示す。所定の特性は、例えば、表示装置１の製造時における特性である。第２検出値Ｒｇｆは、光源部２１の発光輝度の変化に起因した出射光の変化を考慮した第２検出値である。ＸＹＺ三刺激値（Ｘｆ，Ｙｆ，Ｚｆ）は、光源部２１の発光輝度の変化に起因した出射光の変化を考慮したＸＹＺ三刺激値である。本実施例では、γ決定部１８１は、検出値取得部１０４から出力された第１検出値Ｒｂ’と、第１情報とに基づいて、補正パラメータγを決定する。
【００５３】
具体的には、γ決定部１８１は、第１検出値Ｒｂｆ＝Ｒｂ’に対応する第２検出値Ｒｇｆ＝Ｒｇ’と、第１検出値Ｒｂｆ＝Ｒｂ’に対応するＸＹＺ三刺激値（Ｘｆ，Ｙｆ，Ｚｆ）＝（Ｘ’，Ｙ’，Ｚ’）とを、第１情報から取得する。そして、γ決定部１８１は、Ｚ値Ｚ’と所定のＺ値との比率を、補正パラメータγとして決定する。所定のＺ値は特に限定されないが、本実施例では、所定のＺ値は、波長変換シート２２１の特性が所定の特性であり、且つ、光源部２１の発光輝度が所定の輝度である場合における出射光のＸＹＺ三刺激値（Ｘｉ，Ｙｉ，Ｚｉ）のＺ値Ｚｉである。γ決定部１８１は、比率Ｚｉ／Ｚ’を補正パラメータγとして決定する。そして、γ決定部１８１は、第２検出値Ｒｇ’、ＸＹＺ三刺激値（Ｘ’，Ｙ’，Ｚ’）、及び、検出値取得部１０４から出力された第２検出値Ｒｇ”を、α・β決定部１８３へ出力し、補正パラメータγを補正パラメータ出力部１８５へ出力する。
【００５４】
図１１は、波長変換シート２２１の特性が所定の特性であり、且つ、光源部２１の発光輝度が所定の輝度である場合について、第１検出値Ｒｂｉ、第２検出値Ｒｇｉ、及び、ＸＹＺ三刺激値（Ｘｉ，Ｙｉ，Ｚｉ）を示す。なお、図１１の情報は、図１０の第１情報の一部であってもよいし、第１情報とは別の情報として用意されてもよい。
【００５５】
ここで、第１検出値Ｒｂ’＝１０１の場合を考える。この場合には、図１０の第１情報から、第２検出値Ｒｇ’＝１０６、Ｘ値Ｘ’＝１０５、Ｙ値Ｙ’＝１０６、Ｚ値Ｚ’＝１０１が取得される。そして、Ｚ値Ｚ’＝１０１と、図１１のＺ値Ｚｉ＝１０１とから、補正パラメータγ＝Ｚｉ／Ｚ’＝１０１／１０１＝１が決定される。
【００５６】
次に、Ｓ１２０にて、α・β決定部１８３は、補正パラメータα，βを決定し、補正パラメータα，βを補正パラメータ出力部１８５へ出力する。第２情報記憶部１８４は、上記対応情報の一部である第２情報を記憶する。第２情報は、波長変換シート２２１の特性の変化に対する出射光の変化に関連した情報である。本実施例では、図１２に示すように、第２情報は、所定の特性からの波長変換シート２２１の特性の変化に対応する出射光のＸ値の変化率と、所定の特性からの波長変換シート２２１の特性の変化に対応する出射光のＹ値の変化率との対応関係を示す。本実施例では、α・β決定部１８３は、第２検出値Ｒｇ’，Ｒｇ”、ＸＹＺ三刺激値（Ｘ’，Ｙ’，Ｚ’）、及び、第２情報に基づいて、補正パラメータα，βを決定する。
【００５７】
具体的には、α・β決定部１８３は、第２検出値Ｒｇ’，Ｒｇ”とＹ値Ｙ’に基づいて、波長変換シート２２１の特性の変化が考慮された出射光のＹ値Ｙ”を判断する。本実施例では、第２検出値Ｒｇ”は、波長変換シート２２１によって得られた緑色光の輝度の定
数倍であり、α・β決定部１８３は、Ｒｇ”／Ｒｇ’＝Ｙ”／Ｙ’が満たされるように、Ｙ値Ｙ”を判断する。そして、α・β決定部１８３は、Ｙ値Ｙ”と所定のＹ値との比率を、補正パラメータβとして決定する。所定のＹ値は特に限定されないが、本実施例では、所定のＹ値として、Ｙ値Ｙｉが使用される。α・β決定部１８３は、比率Ｙｉ／Ｙ”を補正パラメータβとして決定する。
【００５８】
ここで、第２検出値Ｒｇ’＝１０６、第２検出値Ｒｇ”＝１１０、Ｙ値Ｙ’＝１０６、及び、Ｙ値Ｙｉ＝１０６の場合を考える。この場合には、第２検出値Ｒｇ’＝１０６、第２検出値Ｒｇ”＝１１０、及び、Ｙ値Ｙ’＝１０６から、Ｙ値Ｙ”＝（Ｒｇ”／Ｒｇ’）×Ｙ’＝（１１０／１０６）×１０６＝１１０が得られる。そして、Ｙ値Ｙ”＝１１０とＹ値Ｙｉ＝１０６とから、補正パラメータβ＝Ｙｉ／Ｙ”＝１０６／１１０＝０．９６が決定される。
【００５９】
また、α・β決定部１８３は、Ｘ値Ｘ’、Ｙ値Ｙ’，Ｙ”、及び、第２情報に基づいて、波長変換シート２２１の特性の変化が考慮された出射光のＸ値Ｘ”を判断する。比率Ｙ”／Ｙ’は、所定の特性からの波長変換シート２２１の特性の変化に対応する出射光のＹ値の変化率（Ｙ変化率）に相当する。α・β決定部１８３は、Ｙ変化率Ｙ”／Ｙ’に対応するＸ変化率Ｘ”／Ｘ’を、第２情報から取得する。Ｘ変化率は、所定の特性からの波長変換シート２２１の特性の変化に対応する出射光のＸ値の変化率である。そして、α・β決定部１８３は、Ｘ変化率Ｘ”／Ｘ’とＸ値Ｘ’とから、Ｘ値Ｘ”を判断する。その後、α・β決定部１８３は、Ｘ値Ｘ”と所定のＸ値との比率を、補正パラメータαとして決定する。所定のＸ値は特に限定されないが、本実施例では、所定のＸ値として、Ｘ値Ｘｉが使用される。α・β決定部１８３は、比率Ｘｉ／Ｘ”を補正パラメータαとして決定する。
【００６０】
ここで、Ｘ値Ｘ’＝１０５、Ｘ値Ｘｉ＝１０５、Ｙ値Ｙ’＝１０６、及び、Ｙ値Ｙ”＝１１０の場合を考える。この場合には、Ｙ変化率Ｙ”／Ｙ’＝１１０／１０６＝１．０４に対応するＸ変化率Ｘ”／Ｘ’＝１．０８が、図１２の第２情報から取得される。Ｘ変化率Ｘ”／Ｘ’＝１．０８とＸ値Ｘ’＝１０５とから、Ｘ値Ｘ”＝１．０８×１０５＝１１３が得られる。そして、Ｘ値Ｘ”＝１１３とＸ値Ｘｉ＝１０５とから、補正パラメータα＝Ｘｉ／Ｘ”＝１０５／１１３＝０．９３が決定される。
【００６１】
次に、Ｓ１３０にて、補正パラメータ出力部１８５は、Ｓ１１０とＳ１２０の処理によって得られた補正パラメータα，β，γを、パネル駆動部１０３へ出力する。
【００６２】
なお、第２色が赤色である場合には、上記処理フローの説明において、「Ｘ値」が「Ｙ値」と読み替えられ、「Ｙ値」が「Ｘ値」と読み替えられる。そして、「補正パラメータα」が「補正パラメータβ」と読み替えられ、「補正パラメータβ」が「補正パラメータα」と読み替えられる。
【００６３】
以上述べたように、本実施例によれば、第１検出値と第２検出値に基づいて入力画像データを補正することにより、表示画像データが生成される。それにより、波長変換部材の特性の変化に起因した表示色の変化、光源部の発光輝度の変化に起因した表示色の変化、等を高精度に低減することができる。
【００６４】
なお、表示装置１は、色変化推定部１０５を有していなくてもよい。補正パラメータの決定が省略され、パネル駆動部１０３が、第１検出値と第２検出値を直接用いて入力画像データを補正してもよい。また、波長変換シート２２１の特性の変化に起因した表示色の変化が低減されれば、光源部２１の発光輝度の変化に起因した表示色の変化は低減されなくてもよい。
【００６５】
なお、表示装置１は、１つの光源部２１を有していてもよいし、複数の光源部２１を有していてもよい。複数の光源部２１が共通の発光輝度で発光する場合には、画面内で共通の補正パラメータが決定されてもよい。多くの場合において、波長変換シート２２１の特性の変化は、画面の領域間で略等しい。そのため、画面内で共通の補正パラメータを用いて入力画像データを補正することにより、表示色の変化を高精度に低減することができる。さらに、画面内で共通の補正パラメータを用いることにより、補正パラメータを決定する処理の処理負荷、色補正処理の処理負荷、等を低減することができる。
【００６６】
なお、第１情報と第２情報のそれぞれは上記情報に限られない。例えば、第１情報において、ＸＹＺ三刺激値の代わりに、ＸＹＺ三刺激値の変化量が示されてもよい。第２情報において、Ｘ値の変化率の代わりに変化後のＸ値が示されてもよい。第２情報において、Ｙ値の変化率の代わりに変化後のＹ値が示されてもよい。対応情報は第１情報と第２情報の組み合わせでなくてもよい。例えば、対応情報では、第１検出値、第２検出値、及び、補正パラメータの対応関係が示されてもよい。具体的には、対応情報では、第１検出値と第２検出値が入力値として示され、補正パラメータが出力値として示されてもよい。各種情報は、テーブルであってもよいし、関数であってもよい。
【００６７】
＜実施例２＞
以下、本発明の実施例２ついて説明する。本実施例では、表示装置が複数の光源部を有し、各光源部の発光輝度が個別に制御される場合の例を説明する。発光輝度の個別制御は「ローカルディミング制御」などとも呼ばれる。ローカルディミング制御が行われると、表示色の変化が画面の領域間でばらつく。本実施例では、ローカルディミング制御が行われる場合にも表示色の変化が高精度に低減されるように画面の複数の領域のそれぞれについて補正パラメータを個別に決定する例を説明する。なお、以下では、実施例１と異なる点（構成、処理、等）について詳しく説明し、実施例１と同じ点についての説明は省略する。
【００６８】
図１３は、本実施例に係る発光部２０の構成例を示す。図１３は、画面に垂直な方向から発光部２０を見た場合の例を示す。図１３では、光学シート２２と筐体２５が省略されている。図１３に示すように、本実施例に係る発光部２０は、複数の光源部２１、複数の光源部２１にそれぞれ対応する複数の第１輝度センサ２３、及び、複数の光源部２１にそれぞれ対応する複数の第２輝度センサ２４を有する。図１３の例では、発光部２０は、１６個の光源部２１、１６個の第１輝度センサ２３、及び、１６個の第２輝度センサ２４を有する。図１３の例では、１６個の光源部２１、１６個の第１輝度センサ２３、及び、１６個の第２輝度センサ２４のそれぞれは、４行４列のマトリクス状に配置されている。
【００６９】
なお、複数の光源部２１の数は、１６個より多くても少なくてもよい。複数の光源部２１の配置態様であるマトリクスの行数は４行より多くても少なくてもよいし、当該マトリクスの列数は４列より多くても少なくてもよい。複数の光源部２１の配置はマトリクス状の配置に限られない。例えば、複数の光源部２１が千鳥格子状に配置されていてもよい。同様に、複数の第１輝度センサ２３の数、複数の第１輝度センサ２３の配置、複数の第２輝度センサ２４の数、及び、複数の第２輝度センサ２４の配置も、特に限定されない。
【００７０】
輝度決定部１０１は、入力画像データに基づいて、複数の光源部２１のそれぞれの発光輝度を個別に決定する。そして、輝度決定部１０１は、複数の光源部２１のそれぞれについて、決定した発光輝度に応じた輝度信号を発光駆動部１０２へ出力する。例えば、画面における複数の領域（参照領域）が複数の光源部２１にそれぞれ対応付けられている。そして、輝度決定部１０１は、複数の光源部２１のそれぞれについて、参照領域の画像データ（入力画像データの一部）に基づいて発光輝度を決定する。複数の参照領域は、例えば
、画面を構成する複数の分割領域である。
【００７１】
なお、参照領域は分割領域に限られない。例えば、参照領域は他の参照領域から離れていてもよいし、参照領域の少なくとも一部が他の参照領域の少なくとも一部に重なっていてもよい。１つの参照領域に２つ以上の光源部が対応していてもよい。即ち、複数の光源部２１のそれぞれは、複数の光源部２１の数よりも少ない２つ以上の参照領域のいずれかに対応していてもよい。
【００７２】
発光駆動部１０２は、複数の光源部２１のそれぞれについて、輝度決定部１０１から受信した輝度信号に応じた発光駆動信号を、光源部２１へ送信する。それにより、複数の光源部２１のそれぞれは、発光駆動部１０２から受信した発光駆動信号に応じた発光輝度で発光する。そのため、本実施例では、複数の光源部２１のそれぞれの発光輝度が個別に制御される。
【００７３】
本実施例に係る色変化推定部１０５は、画面における複数の領域（補正領域）にそれぞれ対応する複数の補正パラメータを決定する。複数の補正パラメータは、複数の第１輝度センサ２３からそれぞれ出力された複数の第１検出値と、複数の第２輝度センサ２４からそれぞれ出力された複数の第２検出値とに基づいて決定される。例えば、複数の光源部２１（複数の第１輝度センサ２３；複数の第２輝度センサ２４）にそれぞれ対応する複数の補正領域が予め定められており、複数の補正領域のそれぞれについて、実施例１と同様の方法で補正パラメータが決定される。複数の補正領域は、例えば、画面を構成する複数の分割領域である。
【００７４】
なお、補正パラメータの決定方法は特に限定されない。ここで、複数の光源部２１（複数の第１輝度センサ２３；複数の第２輝度センサ２４）にそれぞれ対応する複数の補正領域が使用される場合を考える。この場合には、補正領域に対応する第１輝度センサ２３の第１検出値だけでなく、周囲の第１輝度センサ２３の第１検出値をさらに考慮して、当該補正領域の補正パラメータを決定することが好ましい。また、補正領域から第１輝度センサ２３（当該補正領域に対応する第１輝度センサ２３、周囲の第１輝度センサ２３、等）までの距離をさらに考慮して、当該補正領域の補正パラメータを決定することが好ましい。同様に、周囲の第２輝度センサ２４の検出値、補正領域から第２輝度センサ２４までの距離、等を考慮することが好ましい。
【００７５】
なお、補正領域は分割領域に限られない。例えば、補正領域は他の補正領域から離れていてもよいし、補正領域の少なくとも一部が他の補正領域の少なくとも一部に重なっていてもよい。補正領域は光源部２１など対応付けられていなくてもよい。複数の補正領域の数は、複数の光源部２１の数より多くても少なくてもよい。補正領域は参照領域と同じであってもよいし、異なっていてもよい。補正領域は、１画素の領域であってもよいし、複数画素の領域であってもよい。
【００７６】
本実施例に係るパネル駆動部１０３は、複数の補正領域にそれぞれ対応する補正パラメータを用いて入力画像データを補正することにより、表示画像データを生成する。例えば、パネル駆動部１０３は、各画素について、その画素に対応する補正パラメータを用いて、当該画素の画素値を補正する。例えば、１つの補正領域に属す画素に対応する補正パラメータとしては、当該補正領域に対して決定された補正パラメータを用いることができる。補正領域に属さない画素に対応する補正パラメータは、複数の補正パラメータを用いた補間によって得ることができる。２つ以上の補正領域に属す画素に対応する補正パラメータ、すなわち複数の補正領域が重なり合う領域に属す画素に対応する補正パラメータも、複数の補正パラメータを用いた補間によって得ることができる。
【００７７】
以上述べたように、本実施例によれば、複数の第１輝度センサからそれぞれ出力された複数の第１検出値と、複数の第２輝度センサからそれぞれ出力された複数の第２検出値とに基づいて、複数の補正領域にそれぞれ対応する複数の補正パラメータが決定される。そして、複数の補正パラメータを用いて入力画像データを補正することにより、表示画像データが生成される。それにより、ローカルディミング制御が行われる場合にも表示色の変化を高精度に低減することができる。
【００７８】
なお、実施例１，２の各機能部は、個別のハードウェアであってもよいし、そうでなくてもよい。２つ以上の機能部の機能が、共通のハードウェアによって実現されてもよい。１つの機能部の複数の機能のそれぞれが、個別のハードウェアによって実現されてもよい。１つの機能部の２つ以上の機能が、共通のハードウェアによって実現されてもよい。また、各機能部は、ハードウェアによって実現されてもよいし、そうでなくてもよい。例えば、装置が、プロセッサと、制御プログラムが格納されたメモリとを有していてもよい。そして、装置が有する少なくとも一部の機能部の機能が、プロセッサがメモリから制御プログラムを読み出して実行することにより実現されてもよい。
【００７９】
なお、実施例１，２はあくまで一例であり、本発明の要旨の範囲内で実施例１，２の構成を適宜変形したり変更したりすることにより得られる構成も、本発明に含まれる。実施例１，２の構成を適宜組み合わせて得られる構成も、本発明に含まれる。
【００８０】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００８１】
１００：表示制御部  １０３：パネル駆動部  １０５：色変化推定部
【図１】
2018159735.tif 000006
【図２】
2018159735.tif 000007
【図３】
2018159735.tif 000008
【図４】
2018159735.tif 000009
【図５】
2018159735.tif 000010
【図６】
2018159735.tif 000011
【図７】
2018159735.tif 000012
【図８】
2018159735.tif 000013
【図９】
2018159735.tif 000014
【図１０】
2018159735.tif 000015
【図１１】
2018159735.tif 000016
【図１２】
2018159735.tif 000017
【図１３】
2018159735.tif 000018